(57)【要約】【課題】折り畳み可能な表示装置を提供する。【解決手段】表示装置は、屈曲可能な表示パネルと、前記表示パネルの第１表示領域の表示面側に設けられ、前記第１表示領域を屈曲しないように支持する第１透明基板と、前記表示パネルの前記第１表示領域から離れた第２表示領域の表示面側に設けられ、前記第２表示領域を屈曲しないように支持する第２透明基板と、前記表示パネルの前記第１表示領域と前記第２表示領域との間に位置する隙間領域の表示面側に設けられ、前記隙間領域とともに屈曲可能な保護膜と、を備える。【選択図】図３
2019015808.tif 000002
【特許請求の範囲】
【請求項１】
屈曲可能な表示パネルと、
前記表示パネルの第１表示領域の表示面側に設けられ、前記第１表示領域を屈曲しないように支持する第１透明基板と、
前記表示パネルの前記第１表示領域から離れた第２表示領域の表示面側に設けられ、前記第２表示領域を屈曲しないように支持する第２透明基板と、
前記表示パネルの前記第１表示領域と前記第２表示領域との間に位置する隙間領域の表示面側に設けられ、前記隙間領域とともに屈曲可能な保護膜と、
を備える表示装置。
【請求項２】
前記表示パネルの前記第１表示領域の裏面側に設けられる第１裏面フィルムと、
前記表示パネルの前記第２表示領域の裏面側に設けられる第２裏面フィルムと、
をさらに備える、
請求項１に記載の表示装置。
【請求項３】
前記隙間領域は、前記第１及び第２表示領域の裏面同士が向かい合うように屈曲可能であり、
前記第１又は第２表示領域に対する前記隙間領域の方向を内側とするとき、前記第１又は第２裏面フィルムの内側の縁は、前記第１又は第２透明基板の内側の縁よりも内側に位置する、
請求項２に記載の表示装置。
【請求項４】
前記表示パネルと前記第１透明基板との間に設けられた第１粘着シートと、
前記表示パネルと前記第２透明基板との間に設けられた第２粘着シートと、
をさらに備え、
前記第１又は第２裏面フィルムの内側の縁は、前記第１又は第２粘着シートの内側の縁よりも内側に位置する、
請求項３に記載の表示装置。
【請求項５】
前記隙間領域は、前記第１及び第２表示領域の表示面同士が向かい合うように屈曲可能であり、
前記第１又は第２表示領域に対する前記隙間領域の方向を内側とするとき、前記第１又は第２透明基板の内側の縁は、前記第１又は第２裏面フィルムの内側の縁よりも内側に位置する、
請求項２に記載の表示装置。
【請求項６】
前記表示パネルと前記第１透明基板との間に設けられた第１粘着シートと、
前記表示パネルと前記第２透明基板との間に設けられた第２粘着シートと、
をさらに備え、
前記第１又は第２表示領域に対する前記隙間領域の方向を内側とするとき、前記第１又は第２粘着シートの内側の縁は、前記第１又は第２透明基板の内側の縁よりも内側に位置する、
請求項１に記載の表示装置。
【請求項７】
前記保護膜は、弾性を有する合成樹脂材料で形成される、
請求項１に記載の表示装置。
【請求項８】
前記保護膜は透明である、
請求項１に記載の表示装置。
【請求項９】
前記表示パネルと前記第１又は第２透明基板との間に設けられたタッチパネルをさらに備える、
請求項１に記載の表示装置。
【請求項１０】
前記表示パネルと前記第１又は第２透明基板との間に設けられた偏光板をさらに備える、
請求項１に記載の表示装置。
【請求項１１】
屈曲可能な表示パネルと、
前記表示パネルの第１表示領域の表示面側に設けられた第１カバーガラスと、
前記表示パネルの前記第１表示領域から離れた第２表示領域の表示面側に設けられた第２カバーガラスと、
前記表示パネルの前記第１表示領域と前記第２表示領域との間の隙間領域の表示面側に設けられ、弾性を有する合成樹脂材料で形成された樹脂膜と、
を備える表示装置。
【発明の詳細な説明】
【技術分野】
【０００１】
本発明は、表示装置に関する。
【背景技術】
【０００２】
特許文献１には、可撓性を有する樹脂フィルムを基材として用いた屈曲可能な表示パネルの表示領域の外側の領域を裏面側に屈曲することにより狭額縁のフラットパネルディスプレイを実現することが開示されている。
【先行技術文献】
【特許文献】
【０００３】
【特許文献１】特開２０１６−３１４９９号公報
【発明の概要】
【発明が解決しようとする課題】
【０００４】
近年、屈曲可能な表示パネルを用いて折り畳み可能な表示装置（いわゆるフォルダブルディスプレイ）を実現することが望まれている。
【０００５】
本発明の目的は、折り畳み可能な表示装置を提供することにある。
【課題を解決するための手段】
【０００６】
上記課題を解決するため、本発明の表示装置は、屈曲可能な表示パネルと、前記表示パネルの第１表示領域の表示面側に設けられ、前記第１表示領域を屈曲しないように支持する第１透明基板と、前記表示パネルの前記第１表示領域から離れた第２表示領域の表示面側に設けられ、前記第２表示領域を屈曲しないように支持する第２透明基板と、前記表示パネルの前記第１表示領域と前記第２表示領域との間に位置する隙間領域の表示面側に設けられ、前記隙間領域とともに屈曲可能な保護膜と、を備える。
【図面の簡単な説明】
【０００７】
【図１】実施形態に係る表示装置の屈曲前の状態を示す斜視図である。
【図２】上記表示装置の屈曲後の状態を示す斜視図である。
【図３】裏面側に折り畳み可能な表示装置の例を示す断面図である。
【図４】表示面側に折り畳み可能な表示装置の例を示す断面図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実施の形態に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
さらに、本発明の実施形態の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１０】
図１は、実施形態に係る表示装置１の屈曲前の状態を示す斜視図である。図２は、表示装置１の屈曲後の状態を示す斜視図である。表示装置１は、例えば有機発光ダイオードを表示素子として含む有機ＥＬ表示装置である。表示装置１は、可撓性を有するフィルムを基材として用いた屈曲可能な表示パネル１０を備えている。可撓性を有するフィルムは、例えばポリイミドなどの合成樹脂材料で形成される。
【００１１】
表示パネル１０は、第１表示領域Ａ１と、第１表示領域Ａ１から離れた第２表示領域Ａ２と、第１表示領域Ａ１と第２表示領域Ａ２との間に位置する隙間領域Ｃと、第１表示領域Ａ１、第２表示領域Ａ２及び隙間領域Ｃを囲む額縁領域Ｂとを有している。
【００１２】
図中のＸ方向は、第１表示領域Ａ１、隙間領域Ｃ及び第２表示領域Ａ２が並ぶ方向を表し、Ｙ方向は、Ｘ方向に交差（例えば直交）する方向を表している。Ｘ方向のうち、第１表示領域Ａ１又は第２表示領域Ａ２に対する隙間領域Ｃの方向を内側とし、その反対を外側とする。また、図中のＦ方向は表示面側を表し、Ｒ方向は裏面側を表している。
【００１３】
表示領域Ａには、例えば赤、緑及び青からなる複数色の単位画素（サブピクセル）を組み合わせたフルカラーの画素がマトリクス状に配列している。額縁領域Ｂには周辺回路が配置されてもよい。また、表示パネル１０は、ＦＰＣ（フレキシブルプリント基板）等が接続される不図示の端子領域も有している。端子領域は、例えば額縁領域Ｂの外側に設けられ、裏面側に折り返される。
【００１４】
隙間領域Ｃは、屈曲可能とされている。本例では、隙間領域Ｃは裏面側に屈曲可能である。すなわち、隙間領域Ｃは、第１表示領域Ａ１及び第２表示領域Ａ２の裏面同士が向かい合うように屈曲可能である。これにより、表示装置１は裏面側に折り畳み可能とされている。
【００１５】
図３は、図１に示すＩＩＩ−ＩＩＩ線で切断したときの断面図である。同図は、裏面側に折り畳み可能な表示装置１の例を示している。
【００１６】
表示パネル１０は、基材２上に回路層１４、素子層１６及び封止膜１８を有している。回路層１４は、各単位画素に対応する薄膜トランジスタを含んでいる。素子層１６は、各単位画素に対応する有機発光ダイオードを含んでいる。
【００１７】
表示パネル１０上（すなわち表示面側）にはタッチパネル２０が配置されている。タッチパネル２０は、表示パネル１０の第１表示領域Ａ１及び第２表示領域Ａ２上だけでなく、隙間領域Ｃ上にも配置されている。タッチパネル２０は、屈曲可能とするため、例えば金属材料で形成された網目状配線（メッシュ配線）を含むことが好ましい。タッチパネル２０はオンセルであっても外付けであってもよい。タッチパネル２０は省略されてもよい。
【００１８】
タッチパネル２０上には円偏光板３３が配置されている。円偏光板３３は、表示パネル１０の第１表示領域Ａ１及び第２表示領域Ａ２上だけでなく、隙間領域Ｃ上にも配置されている。
【００１９】
円偏光板３３上には第１及び第２カバーガラス３５Ａ，３５Ｂが配置されている。第１及び第２カバーガラス３５Ａ，３５Ｂは、第１及び第２透明基板の例である。第１カバーガラス３５Ａは、表示パネル１０の第１表示領域Ａ１上に設けられ、第１表示領域Ａ１を屈曲しないように支持している。第２カバーガラス３５Ｂは、表示パネル１０の第２表示領域Ａ２上に設けられ、第２表示領域Ａ２を屈曲しないように支持している。第１及び第２カバーガラス３５Ａ，３５Ｂは、隙間領域Ｃ上には設けられていない。
【００２０】
第１カバーガラス３５Ａは、第１粘着シート３４Ａにより円偏光板３３に貼り付けられている。第２カバーガラス３５Ｂは、第２粘着シート３４Ｂにより円偏光板３３に貼り付けられている。
【００２１】
表示パネル１０の隙間領域Ｃ上には保護膜３７が設けられている。保護膜３７は、第１カバーガラス３５Ａと第２カバーガラス３５Ｂとの間に設けられている。具体的には、保護膜３７は、第１カバーガラス３５Ａと第２カバーガラス３５Ｂとの間に形成された溝を埋めている。保護膜３７は、第１又は第２カバーガラス３５Ａ，３５ＢのＸ方向内側の縁３５１に接している。保護膜３７の上面は、第１又は第２カバーガラス３５Ａ，３５Ｂの上面よりも低い。保護膜３７は、第１又は第２粘着シート３４Ａ，３４Ｂのうち、第１又は第２カバーガラス３５Ａ，３５ＢのＸ方向内側の縁３５１よりもＸ方向内側にはみ出した部分を覆っている。
【００２２】
保護膜３７は、第１及び第２カバーガラス３５Ａ，３５Ｂよりも軟らかく、弾性を有しており、隙間領域Ｃとともに屈曲可能である。また、保護膜３７は透明であり、隙間領域Ｃが発光する場合、隙間領域Ｃからの光を透過する。保護膜３７は、例えばエポキシ樹脂などの合成樹脂材料で形成される。保護膜３７は、例えば液状の合成樹脂材料を塗布し、硬化させることによって形成される。
【００２３】
表示パネル１０の裏面側には第１及び第２裏面フィルム２１Ａ，２１Ｂが配置されている。第１裏面フィルム２１Ａは、表示パネル１０の第１表示領域Ａ１の裏面側に設けられている。第２裏面フィルム２１Ｂは、表示パネル１０の第２表示領域Ａ２の裏面側に設けられている。第１及び第２裏面フィルム２１Ａ，２１Ｂは、隙間領域Ｃの裏面側には設けられていない。
【００２４】
以下の説明では、第１及び第２カバーガラス３５Ａ，３５Ｂを総称してカバーガラス３５ともいい、第１及び第２粘着シート３４Ａ，３４Ｂを総称して粘着シート３４ともいい、第１及び第２裏面フィルム２１Ａ，２１Ｂを総称して裏面フィルム２１ともいう。
【００２５】
本例では、裏面フィルム２１のＸ方向内側の縁２１１は、カバーガラス３５のＸ方向内側の縁３５１よりもＸ方向内側に位置することが好ましい。すなわち、裏面フィルム２１のＸ方向内側の縁２１１の位置Ｐ２は、カバーガラス３５のＸ方向内側の縁３５１の位置Ｐ５よりもＸ方向内側に位置することが好ましい。これによると、隙間領域Ｃを裏面側に屈曲したときに裏面フィルム２１の縁２１１が表示面側に及ぼす応力を、カバーガラス３５ではなく弾性を有する保護膜３７に集中させることが可能であり、その結果、カバーガラス３５の剥がれを抑制することが可能である。
【００２６】
また、本例では、裏面フィルム２１のＸ方向内側の縁２１１は、粘着シート３４のＸ方向内側の縁３４１よりもＸ方向内側に位置することが好ましい。すなわち、裏面フィルム２１のＸ方向内側の縁２１１の位置Ｐ２は、粘着シート３４のＸ方向内側の縁３４１の位置Ｐ４よりもＸ方向内側に位置することが好ましい。これによると、隙間領域Ｃを裏面側に屈曲したときに裏面フィルム２１の縁２１１が表示面側に及ぼす応力を、保護膜３７のうちの粘着シート３４を覆っていない部分に集中させることが可能であり、その結果、粘着シート３４の剥がれを抑制することが可能である。
【００２７】
また、本例では、粘着シート３４のＸ方向内側の縁３４１は、カバーガラス３５のＸ方向内側の縁３５１よりもＸ方向内側に位置することが好ましい。すなわち、粘着シート３４のＸ方向内側の縁３４１の位置Ｐ４は、カバーガラス３５のＸ方向内側の縁３５１の位置Ｐ５よりもＸ方向内側に位置することが好ましい。これによると、カバーガラス３５の下面を縁３５１の位置まで粘着シート３４に貼り付けることが可能であり、その結果、カバーガラス３５が縁３５１の位置から剥がれることを抑制することが可能である。
【００２８】
図４は、表示面側に屈曲可能な表示装置１の例を示す断面図である。上記の例と重複する構成については、同番号を付すことで詳細な説明を省略する。
【００２９】
本例では、隙間領域Ｃは表示面側に屈曲可能である。すなわち、隙間領域Ｃは、第１表示領域Ａ１及び第２表示領域Ａ２の表示面同士が向かい合うように屈曲可能である。これにより、表示装置１は表示面側に折り畳み可能とされている。
【００３０】
また、本例では、カバーガラス３５のＸ方向内側の縁３５１は、裏面フィルム２１のＸ方向内側の縁２１１よりも内側に位置することが好ましい。すなわち、カバーガラス３５のＸ方向内側の縁３５１の位置Ｐ５は、裏面フィルム２１のＸ方向内側の縁２１１の位置Ｐ２よりもＸ方向内側に位置することが好ましい。隙間領域Ｃを表示面側に屈曲したときにカバーガラス３５の縁３５１が裏面側に及ぼす応力を、裏面フィルム２１がない位置に集中させることが可能であり、その結果、裏面フィルム２１の剥がれを抑制することが可能である。
【００３１】
本実施形態においては、開示例として有機ＥＬ表示装置の場合を例示したが、その他の適用例として、液晶表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００３２】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００３３】
１  表示装置、１０  表示パネル、１２  基材、１４  回路層、１６  素子層、１８  封止膜、Ａ１  第１表示領域、Ａ２  第２表示領域、Ｂ  額縁領域、Ｃ  隙間領域、２０  タッチパネル、２１Ａ  第１裏面フィルム、２１Ｂ  第２裏面フィルム、２１１  縁、３３  円偏光板、３４Ａ  第１粘着シート、３４Ｂ  第２粘着シート、３４１  縁、３５Ａ  第１カバーガラス（第１透明基板の例）、３５Ｂ  第２カバーガラス（第２透明基板の例）、３５１  縁、３７  保護膜。
【図１】
2019015808.tif 000003
【図２】
2019015808.tif 000004
【図３】
2019015808.tif 000005
【図４】
2019015808.tif 000006